【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
操作部を有する洗濯機において、
前記操作部は、
運転の開始、一時停止または再開を指示するためのスタート／一時停止ボタン、洗濯物を投入するための投入口を覆う蓋体のロック機構の解除を指示するための蓋ロック解除ボタン、動作内容の設定を可能にするためのメニューボタン及び電源投入を指示するための電源入ボタンのうちの少なくとも１つを含む第１操作ボタンと、
前記第１操作ボタンに対する操作により操作可能な状態となり、洗濯運転、すすぎ運転、脱水運転及び乾燥運転の各運転動作の動作内容を設定するための第２操作ボタンとを備え、
前記第２操作ボタンは、運転中であるか否かにかかわらず、前記第１操作ボタンが操作された場合に、前記第２操作ボタンに対する操作を検知するタッチセンサを有し、
前記タッチセンサは、運転中に前記第１操作ボタンが操作された場合、前記第１操作ボタンが操作された時点で運転中の運転動作よりも後に行われる運転動作の動作内容を設定するための前記第２操作ボタンに対する操作を検知するようにしてあることを特徴とする洗濯機。
【請求項２】
前記第２操作ボタンを表示する表示部と、
前記第１操作ボタンが操作された場合に、前記第２操作ボタンを前記表示部に表示させる表示制御部と
を備えることを特徴とする請求項１に記載の洗濯機。
【請求項３】
前記表示部は、
前記第２操作ボタンを示す文字の形状に穿設された導光孔を有する板部と、
該板部の背面側に設けられた光源とを備え、
前記表示制御部は、前記光源を点灯させ、前記導光孔を通過した前記光源からの光によって、前記第２操作ボタンを表示させるようにしてあることを特徴とする請求項２に記載の洗濯機。
【手続補正２】
【補正対象書類名】明細書
【補正対象項目名】０００７
【補正方法】変更
【補正の内容】
【０００７】
本発明に係る洗濯機は、操作部を有する洗濯機において、前記操作部は、運転の開始、一時停止または再開を指示するためのスタート／一時停止ボタン、洗濯物を投入するための投入口を覆う蓋体のロック機構の解除を指示するための蓋ロック解除ボタン、動作内容の設定を可能にするためのメニューボタン及び電源投入を指示するための電源入ボタンのうちの少なくとも１つを含む第１操作ボタンと、前記第１操作ボタンに対する操作により操作可能な状態となり、洗濯運転、すすぎ運転、脱水運転及び乾燥運転の各運転動作の動作内容を設定するための第２操作ボタンとを備え、前記第２操作ボタンは、運転中であるか否かにかかわらず、前記第１操作ボタンが操作された場合に、前記第２操作ボタンに対する操作を検知するタッチセンサを有し、前記タッチセンサは、運転中に前記第１操作ボタンが操作された場合、前記第１操作ボタンが操作された時点で運転中の運転動作よりも後に行われる運転動作の動作内容を設定するための前記第２操作ボタンに対する操作を検知するようにしてあることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００７１
【補正方法】変更
【補正の内容】
【００７１】
上述の実施形態では、本発明に係る洗濯機を、洗濯運転及び乾燥運転の実行が可能な洗濯乾燥機に適用した例に基づいて説明した。しかし、本発明に係る洗濯機は、洗濯運転のみを行う洗濯機、乾燥運転のみを行う乾燥機にも適用可能である。
＜付記＞
本発明に係る洗濯機は、操作部を有する洗濯機において、前記操作部は、機械式の第１操作ボタンと、タッチセンサを有する第２操作ボタンとを備え、前記タッチセンサは、前記第１操作ボタンが操作された場合に、前記第２操作ボタンに対する操作を検知するようにしてあることを特徴とする。
本発明によれば、洗濯機に、機械式の第１操作ボタンと、タッチセンサを有する第２操作ボタンとが設けられており、タッチセンサは、第１操作ボタンが操作された場合に、第２操作ボタンに対する操作を検知する。即ち、第１操作ボタンが操作されない限り、タッチセンサは第２操作ボタンに対する操作を検知しない。よって、第１操作ボタンが操作されていない場合、例えば第２操作ボタンに水等が付着することによって発生する可能性のあるタッチセンサによる誤検知を防止できる。また、第１操作ボタンが操作されていない場合、ユーザが誤って第２操作ボタンに触れることによってユーザが意図しない操作が検知されることを防止できる。
本発明に係る洗濯機は、前記第１操作ボタンは、複数設けられており、前記タッチセンサは、所定の第１操作ボタンが操作された場合に前記第２操作ボタンに対する操作を検知するようにしてあることを特徴とする。
本発明によれば、機械式の第１操作ボタンが複数設けられており、タッチセンサは、所定の第１操作ボタンが操作された場合に、第２操作ボタンに対する操作を検知する。よって、洗濯機に一般的に設けられている第１操作ボタンのうちの所定のボタンが操作されることによって、タッチセンサに第２操作ボタンに対する操作を検知させるように構成できる。即ち、第２の操作ボタンに対する操作は、複数の第１操作ボタンのうち、所定の第１操作ボタンを操作することによって可能となるので、第２の操作ボタンの誤動作の防止を更に確実にすることができる。
本発明に係る洗濯機は、前記所定の第１操作ボタンは、運転内容を選択するメニューボタン、洗濯物を投入するための投入口を覆う蓋体のロック機構の解除を指示する蓋ロック解除ボタン、及び、運転の開始、一時停止若しくは再開を指示するスタート／一時停止ボタンのうちの少なくとも１つを含むことを特徴とする。
本発明によれば、洗濯機に一般的に設けられている、運転内容を選択するメニューボタン、投入口を覆う蓋体のロック機能の解除を指示する蓋ロック解除ボタン、運転の開始、一時停止若しくは再開を指示するスタート／一時停止ボタンのうちの少なくとも１つを含むボタンが操作されることによって、タッチセンサに第２操作ボタンに対する操作を検知させるように構成できる。即ち、タッチセンサに第２操作ボタンに対する操作を検知させるための第１操作ボタンを新たに設ける必要がない。
本発明に係る洗濯機は、前記第２操作ボタンを表示する表示部と、前記第１操作ボタンが操作された場合に、前記第２操作ボタンを前記表示部に表示させる表示制御部とを備えることを特徴とする。
本発明によれば、洗濯機が第２操作ボタンを表示する表示部を備え、第１操作ボタンが操作された場合、即ち、タッチセンサが第２操作ボタンに対する操作を検知する状態にある場合に、第２操作ボタンを表示させる。即ち、第２操作ボタンに対する操作に基づく動作が可能である場合に、第２操作ボタンを表示させることにより、第２操作ボタンを操作できることをユーザに通知できる。また、タッチセンサが第２操作ボタンに対する操作を検知しない状態にある場合、即ち、第２操作ボタンに対する操作に基づく動作が可能でない場合に、第２操作ボタンを表示させないことにより、第２操作ボタンを操作できないことをユーザに通知できる。その結果、ユーザは、第２操作ボタンの操作の可否を、第２操作ボタンの表示の有無から直感的に認識できるので、ユーザの利便性が向上する。
本発明に係る洗濯機は、前記表示部は、前記第２操作ボタンを示す文字の形状に穿設された導光孔を有する板部と、該板部の背面側に設けられた光源とを備え、前記表示制御部は、前記光源を点灯させ、前記導光孔を通過した前記光源からの光によって、前記第２操作ボタンを表示させるようにしてあることを特徴とする。
本発明によれば、第２操作ボタンを示す文字の形状に穿設された導光孔を有する板部の背面側に設けられた光源を点灯させることによって、導光孔を通過した光源からの光にて第２操作ボタンが表示される。光源の点灯／消灯によって、第２操作ボタンの表示／非表示を行うので、水、洗剤等が付着する可能性が高い環境に設置された場合であっても壊れ難い第２操作ボタンを構成することができる。